(57)【要約】【課題】巻線の端部を半田付けする際の作業時間を短縮し、且つ品質改善を期待できるファンモータ組立治具を提供する。【解決手段】フレキシブル基板１８の上部で、巻線１６の端部１６−１ａ〜１６−３ａ，１６−１ｂ〜１６−３ｂが引き出されたファンモータ２に、ファンモータ組立治具１を装着する。それぞれの端部１６−１ａ〜１６−３ａ，１６−１ｂ〜１６−３ｂを、対応する絡げ部３５−１〜３５−６に食い付かせることで、端部１６−１ａ〜１６−３ａ，１６−１ｂ〜１６−３ｂに張力を架けた状態で、フレキシブル基板１８のランド２３−１〜２３−６への半田付け作業を容易に行なうことができる。【選択図】図２
2018107903.tif 000002
【特許請求の範囲】
【請求項１】
基板上で巻線の端部が引き出されたファンモータに装着され、前記端部を前記基板の半田付け接続部に導く補助部を備えたことを特徴とするファンモータ組立治具。
【請求項２】
前記巻線に対して上部から被せるように設置されていることを特徴とする請求項１記載のファンモータ組立治具。
【請求項３】
前記補助部は、前記巻線から引き出された前記端部を食い付かせる絡げ部を備えたことを特徴とする請求項１または２記載のファンモータ組立治具。
【請求項４】
軸受に軸支されたファンの回転軸を中心に、外殻部品の内部で前記ファンが回動可能に設けられるファンモータにおいて、前記ファンが前記軸受から一定の距離しか抜けないように、前記外郭部品にフレームを設けたことを特徴とするファンモータ。
【請求項５】
前記ファンが前記軸受から抜ける方向に移動する際に、当該ファンに点接触する凸部を前記フレームに設けたことを特徴とする請求項４記載のファンモータ。
【請求項６】
前記ファンが前記軸受から抜ける方向に移動する際に、前記ファンの外周先端が前記外郭部品に干渉することなく、前記ファンの中心部が前記フレームに干渉する構成としたことを特徴とする請求項４または５記載のファンモータ。
【請求項７】
前記ファンが前記軸受から抜ける方向に移動する際に、前記回転軸が前記軸受の内部で対角上に干渉することなく、前記ファンが前記フレームに干渉する構成としたことを特徴とする請求項４〜６の何れか一つに記載のファンモータ。
【発明の詳細な説明】
【技術分野】
【０００１】
本発明は、パソコン（パーソナルコンピュータ）やタブレット等の薄型電子機器に内蔵される冷却用のファンモータおよびファンモータ組立治具に関する。
【背景技術】
【０００２】
薄型化ニーズが強まるパソコンやタブレット等の電子機器には、冷却用のファンモータが内蔵される。こうしたファンモータは、例えば特許文献１に示すように、巻線を絡げた端子ピンを基板の孔部に挿入して、半田付けを行なう組立作業が行われている。
【０００３】
また特許文献２では、軸受に軸支された回転軸を中心に、外殻部品の内部でファンが回動可能に設けられるファンモータにおいて、回転するファンが上方向に抜け出し、外殻部品に干渉して停止するのを防ぐために、ファンの回転軸の下端にくびれ状の溝を設け、この溝に止め輪（ワッシャ）を設けたファンロック防止構造が開示されている。
【０００４】
ここで、ファンロックが生じる理由について、図６を参照しながら説明する。同図において、１０１はファンモータの外郭部品を構成するカバー、１０２は外郭部品の内部に設けられるファンであり、ファン１０２は、下端を開口したカップ部１０３から外周に向けて複数枚のファンブレード１０４を有し、且つカップ部１０３の中心から下方に向けてシャフトとなる回転軸１０５を備えて構成される。また、１０６は回転軸１０５を回動自在に支える軸受、１０７は軸受１０６を保持する筒状のスリーブである。ここでは図示しないが、回転子となるファン１０２に設けられたマグネットと、固定子のコアとの間に発生する力で、回転軸１０５を中心にファン１０２が回転すると、カバー１０１の吸気口１０８から吸い込まれた空気が、ファンブレード１０４の外周（遠心）方向に送り出されて、ファンモータによる送風が行われる構成となっている。
【０００５】
図６（Ａ）に示すように、ファンブレード１０４とカバー１０１との平行度が良くない場合に、図６（Ｂ）に示すように、ファン１０２の回転に伴う遠心力で、ファン１０２が軸受１０６から抜ける方向Ｘ、すなわち上方に移動すると、図６（Ｃ）に示すように、ファンブレード１０４のカバー１０１とのギャップが小さい一側１０４Ａでは、ファンブレード１０４がカバー１０１に衝突する一方で、ファンブレード１０４のカバー１０２とのギャップが大きい一側１０４Ｂでは、ファンブレード１０４がカバー１０１に接することなく空振りするようになる。
【０００６】
そこから、さらにファン１０２が上方に移動すると、今度は図６（Ｄ）に示すように、ファンブレード１０４の一側１０４Ａがカバー１０１に衝突したまま、軸受１０６に対して傾斜した回転軸１０５が、軸受１０６の内周部の対角２箇所（内周対角上部１０６Ａと内周対角下部１０６Ｂ）で干渉し、ファン１０２が３点で保持されてファン１０２の回転がロック停止する。これが、ファンロックが発生するまでの一連の過程である。
【０００７】
上述のように、ファンロックは３点拘束であり、ファン１０２が軸受１０２から抜けようとして上方へ移動した際に発生する。つまり、１箇所目はファンブレード１０４の先端とカバー１０１との干渉であり、２箇所目と３箇所目は、ファン１０２の回転軸１０５が傾斜した際に、軸受１０６の内周部の対角上で、回転軸１０５と軸受１０６との干渉である。
【先行技術文献】
【特許文献】
【０００８】
【特許文献１】特開２０１１−１８２６１２号公報
【特許文献２】特開２００８−１０４２７７号公報
【発明の概要】
【発明が解決しようとする課題】
【０００９】
上記従来技術において、薄型のファンモータでは上述した導電ピンを設けるスペースがなく、巻線から伸ばした端部を作業者が基板上のランドまで直接運び、そこではんだ付けする必要があった。しかし、これでは作業者が手作業で巻線から引き出した端部を、基板上に這わせるようにしてランドまで伸ばして、半田付け作業を行わなければならず、作業時間や品質が大きくばらつく原因となっていた。
【００１０】
また、特許文献２に示すファンロック防止構造では、止め輪を回転軸に取付けるために、回転軸の下端を延ばさなければならず、ファンモータの厚みを低減できない。そのため薄型のファンモータでは、外郭部品およびファンブレードに極めて厳しい部品の寸法精度が要求され、上述のファンロックが生じないように、ファンと外郭部品との平行度を満足させながら製造する必要が有ったがが、各部品の歩留まりが悪く、部品精度を緩和する設計思想が求められていた。
【００１１】
本発明は上記問題点に鑑み、巻線の端部を半田付けする際の作業時間を短縮し、且つ品質改善を期待できるファンモータ組立治具を提供することを、第１の目的とする。
【００１２】
本発明の第２の目的は、簡単な部品精度で量産性が高く、ファンロックが生じないファンモータを提供することにある。
【課題を解決するための手段】
【００１３】
本発明のファンモータ組立治具は、上記第１の目的を達成するために、基板上で巻線の端部が引き出されたファンモータに装着され、前記端部を前記基板の半田付け接続部に導く補助部を備えたことを特徴とする。
【００１４】
この場合のファンモータ組立治具は、前記巻線に対して上部から被せるように設置されていることが好ましい。
【００１５】
また、前記補助部は、前記巻線から引き出された前記端部を食い付かせる絡げ部を備えることが好ましい。
【００１６】
本発明は、上記第２の目的を達成するために、軸受に軸支されたファンの回転軸を中心に、外殻部品の内部で前記ファンが回動可能に設けられるファンモータにおいて、前記ファンが前記軸受から一定の距離しか抜けないように、前記外郭部品にフレームを設けたことを特徴とする。
【００１７】
この場合、前記ファンが前記軸受から抜ける方向に移動する際に、当該ファンに点接触する凸部を前記フレームに設けることが好ましい。
【００１８】
また、前記ファンが前記軸受から抜ける方向に移動する際に、前記ファンの外周先端が前記外郭部品に干渉することなく、前記ファンの中心部が前記フレームに干渉する構成とすることが好ましい。
【００１９】
また、前記ファンが前記軸受から抜ける方向に移動する際に、前記回転軸が前記軸受の内部で対角上に干渉することなく、前記ファンが前記フレームに干渉する構成とすることが好ましい。
【発明の効果】
【００２０】
請求項１の発明によれば、ファンモータにファンモータ組立治具を装着することで、ファンモータの巻線の端部がファンモータ組立治具の補助部により基板の半田付け接続部に自ずと導かれ、そこで半田付け作業を行なうことができる。したがって、巻線の端部を半田付けする際の作業時間を短縮し、且つファンモータの品質改善を期待することが可能になる。
【００２１】
請求項２の発明によれば、ファンモータ組立治具をファンモータの巻線を装着する際には、ファンモータ組立治具を巻線の上部から被せるように設置すればよく、作業の簡素化を図ることができる。
【００２２】
請求項３の発明によれば、巻線の端部をファンモータ組立治具の絡げ部に食い付かせて、端部に張力を架けた状態で、基板の半田付け接続部への半田付け作業を容易に行なうことができる。
【００２３】
請求項４の発明によれば、ファンが軸受から抜ける方向に移動する際に、一定の距離に達すると、ファンがフレームに当接してファンロックの発生を防止できる。そのため、従来の回転軸に止め輪を取付けたファンロック防止構造に代わり、外郭部材にフレームを設けるだけで、簡単な部品精度で量産性が高く、ファンロックが生じないファンモータを提供できる。
【００２４】
請求項５の発明によれば、ファンが軸受から抜ける方向に移動する際に、フレームの凸部に面接触ではなく点接触でファンを受けるため、ファンとフレームとの接触面積を極力小さくすることが可能になる。
【００２５】
請求項６の発明によれば、ファンが軸受から抜ける方向に移動する際に、回転するファンの外形先端ではなく、ファンの中心部をフレームで受けるため、そこから軸受に対して回転軸が次第に傾斜するのを防止して、ファンロックの発生を確実に防ぐことが可能になる。
【００２６】
請求項７の発明によれば、ファンが軸受から抜ける方向に移動する際に、回転軸が軸受の内部で対角上に干渉することなく、回転するファンをフレームで受けるため、ファンロックの発生を確実に防ぐことが可能になる。
【図面の簡単な説明】
【００２７】
【図１】本発明の一実施例におけるファンモータ組立治具の背面図である。
【図２】同上、図１のファンモータ組立治具を組立作業中のファンモータに装着した状態の平面図である。
【図３】同上、半田付け作業を終了した後に、ファンモータ組立治具をファンモータから取り外した状態の平面図である。
【図４】同上、完成状態のファンモータの縦断面図である。
【図５】同上、カバーの斜視図である。
【図６】ファンロックが発生するまでのメカニズムを説明する図である。
【発明を実施するための形態】
【００２８】
以下、添付図面を参照しつつ、本発明における好ましいファンモータと、そのファンモータに用いられる好ましいファンモータ組立治具の実施例を説明する。
【００２９】
図１は、本実施例で使用する単品のファンモータ組立治具１を示している。図２は、図１のファンモータ組立治具１を組立作業中のファンモータ２に装着した状態を示している。図３は、ファンモータ組立治具１を利用して、ファンモータ２の半田付け作業を終了した後に、そのファンモータ組立治具１をファンモータ２から取り外した直後の状態を示している。
【００３０】
これらの各図において、電子機器の冷却装置となるファンモータ２は、有底状のケース４と、そのケース４の上部開口を覆うカバー４１（図４、図５を参照）とにより、外部に露出する外郭部品が構成される。本実施例のケース４は、金属製の底板部材５と、底板部材５の外周に立設する樹脂製の側周壁部材６とを組み合わせて構成されるが、単独の部材で構成してもよい。底板部材５には、ファンモータ２の内部に空気を取り入れるための吸気口７が設けられ、この吸気口７と直交する方向に、ケース４の側部には、ファンモータ２の外部に空気を吐出するための排気口８が設けられる。
【００３１】
吸気口７の略中央には、ブリッジ１１で吸気口７の周囲部と繋がれた島状のモータ載置部１２が設けられ、モータ載置部１２の略中心には、円筒状のスリーブ１３が直立して設けられる。吸気口７は底板部材５にだけでなく、底板部材５に対向して配置される外郭部材のカバー４１にも開口形成される。
【００３２】
１５は、巻線１６をコア１７に巻装して構成される固定子ユニットであり、１８は、ファンモータ２の外部から巻線１６に所定のタイミングで電流供給を行なうためのフレキシブル基板である。固定子ユニット１５とフレキシブル基板１８は、何れもスリーブ１３に位置決めされてファンモータ２に取付け固定される。
【００３３】
本実施例の固定子ユニット１５は、スリーブ１３の外周から放射方向に等間隔で配置され、平面視でＴ字状をなす６個のティース１７−１〜１７−６により、磁性材料となるコア１７が構成される。また、固定子ユニット１５の巻線１６は、スリーブ１３を中心として向かい合うティース１７−１，１７−４と、ティース１７−２，１７−５と、ティース１７−３，１７−６に跨って、第１巻線部１６−１と、第２巻線部１６−２と、第３巻線部１６−３をそれぞれ巻装した構成を有する。ここでは、巻線１６から引き出される６本の端部、すなわち第１巻線部１６−１の巻き始めと巻き終わりから引き出される各端部１６−１ａ，１６−１ｂと、第２巻線部１６−２の巻き始めと巻き終わりから引き出される各端部１６−２ａ，１６−２ｂと、第３巻線部１６−３の巻き始めと巻き終わりから引き出される各端部１６−３ａ，１６−３ｂと、を有する。
【００３４】
フレキシブル基板１８は、ケース４の内部において、底板部材５と固定子ユニット１５との間に配設される基板主部２１と、この基板主部２１からケース４の外部に延設する接続端部２２と、により構成される。基板主部２１は、巻線１６の各端部１６−１ａ〜１６−３ａ，１６−１ｂ〜１６−３ｂを半田付けで接続可能にするために、金属を露出させたランド２３−１〜２３−６をそれぞれ備える。その他に基板主部２１には、図示しない回転子の位置検出用のホールＩＣやコンデンサなどの電子部品２４が実装される。
【００３５】
なお、上述したティース１７−１，１７−２，…の数は６以外であっても構わない。また、個々のティース１７−１，１７−２，…に巻線部１６−１，１６−２，…をそれぞれ巻装してもよい。その場合、巻線１６から引き出される端部の総数は、本実施例の２倍となる。その他、コア１７の形状や、そのコア１７に巻線１６をどのように巻装するのかについては、特に限定されない。
【００３６】
次に、ファンモータ２の組立作業中に用いられるファンモータ組立治具１の構成を説明すると、ここでのファンモータ組立治具１は、カバー部３１の外周囲に、何れもＶ字溝状の絡げ部３２−１〜３２−６を備えて構成される。カバー部３１は、各ティース１７−１〜１７−６の外周面に沿った円形周面を有する一つの装着用孔３４と、装着孔３４の周囲に形成された複数の作業用孔３５と、をそれぞれ備え、図２に示すように、ファンモータ組立治具１を組立作業中のファンモータ２に装着するために、巻線１６やフレキシブル基板１８に対して、その上部からファンモータ組立治具１のカバー部３１を被せるように、ティース１７−１〜１７−６の外周面に装着用孔３４の内周面を嵌合させると、作業用孔３５を通して基板１６上の全てのランド２３−１〜２３−６が露出すると共に、巻線１６の各端部１６−１ａ〜１６−３ａ，１６−１ｂ〜１６−３ｂの引き出し開始地点と、それに対応するランド２３−１〜２３−６とを結ぶ直線上に、それぞれの絡げ部３２−１〜３２−６が位置するように構成される。なお必要に応じて、ファンモータ２に対してファンモータ組立治具１の装着位置を規定する位置決め部を設けてもよい。
【００３７】
次に、ファンモータ組立治具１を用いて、巻線１６の各端部１６−１ａ〜１６−３ａ，１６−１ｂ〜１６−３ｂを、フレキシブル基板１８の各ランド２３−１〜２３−６にそれぞれ半田付けする作業の手順を説明する。基板主部２１に電子部品２４を実装したフレキシブル基板１８を、スリーブ１３により位置決めしてケース４に装着した後、予めコア１７に巻かれる巻線１６として、ティース１７−１，１７−４に第１巻線部１６−１を巻装し、ティース１７−２，１７−５に第２巻線部１６−２を巻装し、ティース１７−３，１７−６に第３巻線部１６−３をそれぞれ巻装して、巻線１６の各端部１６−１ａ〜１６−３ａ，１６−１ｂ〜１６−３ｂを適宜長さに引き出した状態の固定子ユニット１５を、同じくスリーブ１３により位置決めしてケース４に装着する。
【００３８】
そこから図２に示すように、フレキシブル基板１８の基板主部２１と巻線１６を上に向けた状態で、カバー４の上部開口側からファンモータ組立治具１のカバー部３１を被せ、作業用孔３５を通して基板１６上の全てのランド２３−１〜２３−６が露出する位置で、ティース１７−１〜１７−６の外周面に装着用孔３４の内周面を嵌合させる。この後に作業用孔３５を通して、例えば巻線部１６−１から引き出された端部１６−１ａを引き延ばし、対応する絡げ部３２−１に挿入して食い込ませると、端部１６−１ａは作業用孔３５を通して視認可能なランド２３−１〜２３−６の真上を通過して、張力を架けた状態で絡げ部３２−１に嵌合保持される。従って、作業者はそのまま端部１６−１ａとランド２３−１が重なり合う部分で半田付け作業を行ない、半田による接合部３５−１（図３を参照）で両者を容易に接続固定することが可能になる。
【００３９】
同様の手順で、巻線部１６−１から引き出された他の端部１６−１ｂはもとより、それ以外の巻線部１６−２から引き出された各端部１６−２ａ，１６−２ｂや、巻線部１６−３から引き出された各端部１６−３ａ，１６−３ｂについても、これらをファンモータ組立治具２の絡げ部３５−２〜３５−６にそれぞれ食い付かせて、端部１６−１ｂ，１６−２ａ，１６−２ｂ，１６−３ａ，１６−３ｂに張力を架けた状態で、フレキシブル基板１８の半田付け接続部となるランド２３−２〜２３−６への半田付け作業を容易に行なうことができる。こうして作業後には、それぞれの接合部３５−１〜３５−６で、端部１６−１ａ〜１６−３ａ，１６−１ｂ〜１６−３ｂとランド２３−１〜２３−６が接続固定される。
【００４０】
そして、全てのランド２３−１〜２３−６について、巻線１６の各端部１６−１ａ〜１６−３ａ，１６−１ｂ〜１６−３ｂの半田付け作業が終了したら、ランド２３−１〜２３−６から先端の端部１６−１ａ〜１６−３ａ，１６−１ｂ〜１６−３ｂを切断して除去し、図３に示すように、ファンモータ組立治具１を半田付け作業が完了したファンモータ２から取り外す。
【００４１】
以上のように本実施例では、基板となるフレキシブル基板１８の上部で、巻線１６の端部１６−１ａ〜１６−３ａ，１６−１ｂ〜１６−３ｂが引き出されたファンモータ２に装着され、それぞれの端部１６−１ａ〜１６−３ａ，１６−１ｂ〜１６−３ｂをフレキシブル基板１８の半田付け接続部となるランド２３−１〜２３−６に導く補助部として、絡げ部３５−１〜３５−６を備えたファンモータ組立治具１が提供され、このファンモータ組立治具１を利用して、巻線１６の各端部１６−１ａ〜１６−３ａ，１６−１ｂ〜１６−３ｂを、フレキシブル基板１８の各ランド２３−１〜２３−６にそれぞれ半田付けする作業が行われる。
【００４２】
この場合、ファンモータ２にファンモータ組立治具１を装着することで、ファンモータ２の巻線１６の端部１６−１ａ〜１６−３ａ，１６−１ｂ〜１６−３ｂが、ファンモータ組立治具１の絡げ部３５−１〜３５−６によりフレキシブル基板１８のランド２３−１〜２３−６に自ずと導かれ、そこで同じ状態で半田付け作業を行なうことができる。したがって、巻線１６の端部１６−１ａ〜１６−３ａ，１６−１ｂ〜１６−３ｂを半田付けする際の作業時間を短縮し、且つファンモータ２の品質改善を期待することが可能になる。
【００４３】
また本実施例では、上記の半田付け作業を行なう際に、巻線１６に対してファンモータ組立治具１を上部から被せるように設置されている。
【００４４】
この場合、ファンモータ組立治具１をファンモータ２の巻線１６を装着する際には、ファンモータ組立治具１を巻線１６の上部から被せるように設置すればよく、半田付け作業の簡素化を図ることができる。
【００４５】
また、本実施例の補助部は、巻線１６から引き出された端部１６−１ａ〜１６−３ａ，１６−１ｂ〜１６−３ｂを食い付かせて嵌合保持する絡げ部３５−１〜３５−６を備えて構成される。
【００４６】
この場合、巻線１６の端部１６−１ａ〜１６−３ａ，１６−１ｂ〜１６−３ｂを、ファンモータ組立治具１の絡げ部３５−１〜３５−６に食い付かせて、端部１６−１ａ〜１６−３ａ，１６−１ｂ〜１６−３ｂに張力を架けた状態で、フレキシブル基板１８のランド２３−１〜２３−６への半田付け作業を容易に行なうことができる。
【００４７】
次に、組立作業が完了した完成状態のファンモータ２において、改良したファンロック防止構造を組み込んだ好ましい一実施例を図４および図５に示す。なお、図１〜図３で示したファンモータ２と同一の機能を有する構成には、同一の符号を付して説明する。
【００４８】
これらの各図において、４１はケース４の上面開口を覆い、ケース４と共にファンモータ２の外郭部品をなす金属薄板状のカバーである。カバー４１には、底板部材５に設けられた吸気口７とは別の吸気口４２が設けられる。吸気口４２の略中央には、ブリッジ４３で吸気口４２の周囲部と繋がれた島状部４４が設けられ、これらのブリッジ４３と島状部４４とにより、吸気口４２を複数に分割する平面視で略Ｙ字状のフレーム４５が、カバー４１と略面一で一体的に形成される。島状部４４の略中心には、後述するファン５１の回転軸５４の上端に向けて突出する半円状の凸部４６が形成される。
【００４９】
５１は、ファンモータ２の外郭部品の内部に設けられるファンである。ファン５１は、下端を開口したカップ部５２から外周に向けて複数枚のファンブレード５３を有し、且つカップ部５２の中心から下方に向けてシャフトとなる回転軸５４を備えて構成される。また、カップ部５２の内周面には、固定子ユニット１５のコア１７に対向して永久磁石によるマグネット５５が配置される。これらのファン５１とマグネット５５とにより、固定子ユニット１５に対して回動可能な回転子ユニット５６が構成される。
【００５０】
モータ載置部１２から起立する煙突状のスリーブ１３には、回転軸５４を回動自在に軸支する軸受５８が内装される。ここでのファンモータ２は、ファン５１の回転軸５４に沿った垂直方向の寸法が、回転軸５４に直交する水平方向の寸法に対して極端に小さい扁平薄型形状を有しており、回転軸５４の下端にはファンモータ２の薄型化を阻害するような止め輪が設けられていない。代わりに本実施例では、ファンモータ２の薄型化を阻害しないように、板状のカバー４１と略同一面に形成したフレーム４５を、ファンロック防止構造として備えている。
【００５１】
フレーム４５は、単に吸気口４２を複数に区画するためだけでなく、ファン５１を含む回転子ユニット５６が、回転時に軸受５８から上方に抜けようとする際に、ファンブレード５３の外周先端５３Ａがカバー４１に干渉しないように、ファン５１の略中心がフレーム４５の凸部４６に点接触で第一に干渉する構造を有している。これにより、フレーム４５が回転子ユニット５６の上方への移動を規制して、ファンロックが発生しないメカニズムとなっている。
【００５２】
図示しないが、上記構成の完成したファンモータ２は、最終的にパソコンやタブレット等の薄型電子機器に内蔵される。そして、当該電子機器が動作するのに伴い、ファンモータ２の外部からフレキシブル基板１８の接続端部２２を通して、所定のタイミングで巻線１６に電流が供給されると、回転子ユニット５６を構成するマグネット５５と、固定子ユニット１５を構成するコア１７との間に発生する力で、回転軸５４を中心に回転子ユニット５６が回転する。これにより、相互に向かい合うケース４の吸気口７とカバー４１の吸気口４２のそれぞれから、ファンモータ２の内部に吸い込んだ空気が、回転するファンブレード５３の外周方向に送り出され、ファンモータ２の排気口８を通して電子機器の内部に向けて強制的な送風が行われる。
【００５３】
こうした回転子ユニット５６の回転に伴い、回転軸５４を含む回転子ユニット５６が、図４に示す軸受５８から抜ける上方向に移動しようとすると、仮にファンブレード５３とそれに対向するカバー４１との平行度が良くない場合であっても、ファンブレード５３のどの部位もカバー４１に接触し干渉することなく、最初にファン５１の略中心がフレーム４５の凸部４６に接触し干渉する。したがって、前述の図６（Ｂ）の状態から図６（Ｃ）ひいては図６（Ｄ）の状態に至ることなく、回転するファン５１をフレーム４５の凸部４６で受けて、ファンブレード５３の外周先端５３Ａをカバー４１に接触させないようにし、さらには軸受５８に対してファン５１を意図的に傾斜させないようにすることで、回転軸５４の下端に止め輪を設けない構成でありながら、カバー４１にフレーム４５を設けるだけで、ファンロックの発生を確実に防ぐことが可能になる。
【００５４】
また本実施例では、ファン５１の上面に対向するフレーム４５の凸部４６を半円状に形成して、回転子ユニット５６が軸受から抜けようとする際に、カバー４１の略中心を点接触で受ける構成となっている。そのため、回転するファン５１とフレーム４５との接触面積を極力小さくすることが可能になり、ファンモータ２としての送風能力を極力低下させずに、ファン５１を回転させ続けることが可能になる。
【００５５】
以上のように本実施例は、軸受５８に軸支されたファン５１の回転軸５４を中心に、ケース４とカバー４１で構成される外殻部品の内部で、ファン５１が回動可能に設けられるファンモータ２において、ファン５１が軸受５８から一定の距離しか抜けないように、前記外郭部品となるカバー４１に、ファン５１の移動を規制するフレーム４５を設けている。
【００５６】
この場合、ファン５１が軸受５８から抜ける方向に移動する際に、その移動が一定の距離に達すると、ファンブレード５３の外周先端５３Ａがカバー４１に接触することなく、ファン５１がカバー４１のフレーム４５に当接して、ファン５１の回転がロック停止するファンロックの発生を防止できる。そのため、従来の回転軸５４に止め輪を取付けたファンロック防止構造に代わり、外郭部材となるカバー４１にフレーム４５を設けるだけで、簡単な部品精度で量産性が高く、ファンロックが生じないファンモータ２を提供できる。
【００５７】
また本実施例では、ファン５１が軸受５８から抜ける方向に移動する際に、ファン５１に点接触する凸部４６をフレーム４５に設けている。
【００５８】
この場合、ファン５１が軸受５８から抜ける方向に移動する際に、フレーム４５の凸部４６に面接触ではなく点接触でファン５１を受けるため、ファン５１とフレーム４５との接触面積を極力小さくすることが可能になる。
【００５９】
また本実施例では、ファン５１が軸受５８から抜ける方向に移動する際に、ファン５１の外周先端となるファンブレード５３の外周先端５３Ａが、外郭部品となるカバー４１に干渉することなく、ファン５１の回転中心部がフレーム４５に干渉する構成となっている。
【００６０】
この場合、ファン５１が軸受５８から抜ける方向に移動する際に、回転するファン５１の外形先端となるファンブレード５３の外周先端５３Ａではなく、ファン５１の中心部をフレーム４５で受けるため、そこから軸受５８に対して回転軸５４が次第に傾斜するのを防止して、ファンロックの発生を確実に防ぐことが可能になる。
【００６１】
また本実施例では、ファン５１が軸受５８から抜ける方向に移動する際に、回転軸５４が軸受５８の内部で対角上に干渉することなく、ファン５１がフレーム４５に干渉する構成となっている。
【００６２】
この場合、ファン５１が軸受５８から抜ける方向に移動する際に、回転軸５４が軸受５８の内部で対角上に干渉することなく、回転するファン５１をフレーム４５で受けるため、ファンロックの発生を確実に防ぐことが可能になる。
【００６３】
なお、本発明は上記実施形態に限定されるものではなく、本発明の趣旨を逸脱しない範囲で種々の変更可能である。例えばファンモータ２の基板として、薄型軽量で可撓性を有するフレキシブル基板１８の代わりに、硬質基板を用いてもよい。また、フレーム４５や凸部４６の数や形状などは、実施例で図示したものに限定されない。
【符号の説明】
【００６４】
１  ファンモータ組立治具
２  ファンモータ
４  ケース（外郭部品）
１６  巻線
１６−１ａ〜１６−３ａ，１６−１ｂ〜１６−３ｂ  端部
１８  フレキシブル基板（基板）
２３−１〜２３−６  ランド（半田付け接続部）
３５−１〜３５−６  絡げ部（補助部）
４５  フレーム
４６  凸部
５１  ファン
５４  回転軸
５８  軸受
【図１】
2018107903.tif 000003
【図２】
2018107903.tif 000004
【図３】
2018107903.tif 000005
【図４】
2018107903.tif 000006
【図５】
2018107903.tif 000007
【図６】
2018107903.tif 000008